(57)【要約】【課題】  この考案は、男性にとって横漏れのない使い捨て紙おむつを開発・提供するものである。【解決手段】  使い捨て紙おむつにおいて、高分子吸収体を必要箇所に設けた，おむつ本体（１）と、同じく高分子吸収体を有する素材を用いて形成し、男性器（Ｘ）を挿入・載置する男性器固定袋体（２）とからなり、該男性器固定袋体（２）は表・裏二重構造であって、周囲を囲み閉塞した袋体で、一面に、男性器（Ｘ）の挿入用穴あるいはスリット等の挿入口（２ａ）を形成し、さらに、おむつ本体（１）側か、あるいは男性器固定袋体（２）側に両面接着テープ等の装着具（３）を装着したことを特徴とする使い捨て紙おむつから構成されるものである。【選択図】      図４
0003103953.tif 000002
【実用新案登録請求の範囲】
【請求項１】
使い捨て紙おむつにおいて、高分子吸収体を必要箇所に設けた，おむつ本体（１）と、同じく高分子吸収体を有する素材を用いて形成し、男性器（Ｘ）を挿入・載置する男性器固定袋体（２）とからなり、該男性器固定袋体（２）は表・裏二重構造であって、周囲を囲み閉塞した袋体で、一面に、男性器（Ｘ）の挿入用穴あるいはスリットを形成し、さらに、おむつ本体（１）側か、あるいは男性器固定袋体（２）側に両面接着テープ等の装着具（３）を装着したことを特徴とする使い捨て紙おむつ。
【考案の詳細な説明】
【技術分野】
【０００１】
この考案は、使い捨て紙おむつに関するものである。
【背景技術】
【０００２】
従来、痴呆症や寝たきりの男性にとっては、使い捨て紙おむつの着用が必須となり、この使い捨て紙おむつは、高分子吸収体で構成されており、尿を大量に吸収できるよう構成されている。
【０００３】
しかし、従来の紙おむつでは、就寝時に放尿してしまい、横漏れが生じ、寝巻、パジャマ等の衣服や寝具類まで濡らしてしまい、その後、衣類や寝具の取り替え等の後始末の作業は極めて煩雑なものであった。
【０００４】
そのため、紙おむつに、別個に、男性器を入れるための男性器固定袋を、縦２４ｃｍ、横３０ｃｍ程度の矩形の使い捨て紙おむつの素材で、長手方向の端部の中心部を芯部として円錐形状に形成したものが存在するが、男性器固定袋の上面が開口しているため、就寝中、男性器の固定が困難となったり、また、使用者の体格により、男性器固定袋の装着位置が、体形により、まちまちであり、これらも尿漏れの原因となっていた。
【特許文献１】実開平３−４６３１５号公報
【考案の開示】
【考案が解決しようとする課題】
【０００５】
そこで、この考案は、男性にとって横漏れのない使い捨て紙おむつを開発・提供するものである。
【課題を解決するための手段】
【０００６】
この考案は、紙おむつにおいて、男性器を一時固定する男性器固定袋を、尿の横漏れがなく、しかも、簡単な手段により、紙おむつに固定し、しかも、必要な箇所に自在に装着できる使い捨て紙おむつである。
【考案の効果】
【０００７】
この考案によると、使い捨て紙おむつに、さらに、男性器固定袋を装着し、該袋内に男性器を一時固定することにより、就寝中であっても、男性器が男性器固定袋内に位置するため、放尿しても、男性器固定袋が尿を吸収し、万一、放尿量が多く飽和状態に達しても、紙おむつ本体で吸収するため、寝巻・パジャマ等の衣服や、ふとん、シーツ、毛布等の寝具類を汚すことが防げるため、介護する手間が省ける等極めて有益なる効果を奏するものである。
【考案を実施するための最良の形態】
【０００８】
この考案の一実施例を詳述すると、使い捨て紙おむつにおいて、高分子吸収体を必要箇所に設けた，おむつ本体（１）と、同じく高分子吸収体を有する素材を用いて形成し、男性器（Ｘ）を挿入・載置する男性器固定袋体（２）とからなり、該男性器固定袋体（２）は表・裏二重構造であって、周囲を囲み閉塞した袋体で、一面に、男性器（Ｘ）の挿入用穴あるいはスリット等の挿入口（２ａ）を形成し、さらに、おむつ本体（１）側か、あるいは男性器固定袋体（２）側に両面接着テープ等の装着具（３）を装着したことを特徴とする使い捨て紙おむつから構成されるものである。
【０００９】
尚、男性器固定袋体（２）の一実施例を詳述すると、平板状の紙おむつ材であって、縦７２ｃｍ、横３０ｃｍのものを三分割し、これを二つ折りにして、三方を縫着あるいは接着したものであり、一面に逆Ｖ字状のスリットを設けて、挿入口（２ａ）としたものである。しかし、挿入口（２ａ）のこの形状に限定されることはない。
【００１０】
そして、男性器固定袋体（２）の他面には、両面テープ等の装着具（３）を一部、あるいは全面に装着したものである。また、装着具（３）の一実施例として両面テープを用いるが、これに限定するものではない。
【００１１】
さらに、おむつ本体（１）には、前・後部の各両端部付近に、スリット状のボタンホルダー（１ａ）を設けており、掛止ベルト（４）の両端部に設けたボタン（４ａ）に係止して、身体（Ｙ）に、おむつ本体（１）を装着・固定するものである。
しかし、前記手段は、紙おむつ（１）を身体へ装着する一手段であって、この掛止ベルト（４）を用いることに限定されるわけではない。
【産業上の利用可能性】
【００１２】
この考案は、使い捨て紙おむつに、特別な男性器固定袋の製造技術を確立し、それを使用することにより、産業上の利用可能性を有する。
【図面の簡単な説明】
【００１３】
【図１】この考案に使用する紙おむつであり、（Ａ）は、一実施例を示す平面図であり、（Ｂ）は、図１のａ−ａ断面図である。
【図２】この考案に使用する男性性器固定袋であり、（Ａ）は、一実施例を示す正面図であり、（Ｂ）は、背面図である。
【図３】この考案に使用する掛止ベルトの平面図である。
【図４】この考案に使用する紙おむつの使用状態を示すものであり、（Ａ）は装着状態を示す一部欠截正面図であり、（Ｂ）は、平面図である。
【図５】この考案に使用する紙おむつの使用状態を示す断面図である。
【符号の説明】
【００１４】
１  おむつ本体
１ａ  ボタンホルダー
２  男性器固定袋体
２ａ  挿入口
３  装着具
４  掛止ベルト
４ａ  ボタン
Ｘ  男性器
Ｙ  身体
【図１】
0003103953.tif 000003
【図２】
0003103953.tif 000004
【図３】
0003103953.tif 000005
【図４】
0003103953.tif 000006
【図５】
0003103953.tif 000007
【手続補正書】
【提出日】平成16年3月12日(2004.3.12)
【手続補正１】
【補正対象書類名】明細書
【補正対象項目名】０００３
【補正方法】変更
【補正の内容】
【０００３】
しかし、従来の紙おむつでは、就寝時に放尿してしまい、横漏れが生じ、寝巻、パジャマ等の衣服や寝具類まで濡らしてしまい、その後、衣類や寝具の取り替え等の後始末の作業は極めて煩雑なものであった。また、パンツ式のものは、寝たきりの老人や患者には、履かせにくいものであった。
【手続補正２】
【補正対象書類名】明細書
【補正対象項目名】０００４
【補正方法】変更
【補正の内容】
【０００４】
そのため、紙おむつを股間の前後にあてがい、その両側より、掛止ベルトを用いて装着する紙おむつに、別個に、男性器を入れるための男性器固定袋を、縦２４ｃｍ、横３０ｃｍ程度の矩形の使い捨て紙おむつの素材で、長手方向の端部の中心部を芯部として円錐形状に形成したものが存在するが、男性器固定袋の上面が開口しているため、就寝中、男性器の固定が困難となったり、また、使用者の体格により、男性器固定袋の装着位置が、体形により、まちまちであり、これらも尿漏れの原因となっていた。
【特許文献１】実開平３−４６３１５号公報